(57)【要約】【課題】電子機器のケーブルの接続作業を電子機器の後面側や後面近傍から手を入れて実行できないときでもケーブルの接続作業を容易にできる電子機器を提供すること。【解決手段】取付部材４０に取り付けたオーディオ装置１０には、この下面パネル１４に下方に向けて突出させたコネクタ１７を設ける。ＤＶＤ装置２０は、この取り付け前に、取付部材４０の開口部４２からケーブル３０の一端側を挿入し、コネクタ１７に上方に向けて差し込んで接続してから開口部４２内に挿入して取付部材４０に取り付ける。【選択図】　図１
2004031659.tif 000002
【特許請求の範囲】
【請求項１】
前面パネルと後面パネルと前記前面パネルと前記後面との間に設けた奥方向延在パネルと、前記各パネルで囲まれた内部空間内に設けた電子部品と、前記奥方向延在パネルから突出しケーブルとを接続可能なコネクタとを備えたことを特徴とする電子機器。
【請求項２】
前記奥方向延在パネルが、上面パネル、下面パネル、および両側の側面パネルを有し、前記奥方向延在パネルのうち、１つのパネルに前記コネクタが設けられていることを特徴とする請求項１に記載の電子機器。
【請求項３】
車両搭載用の電子機器であることを特徴とする請求項１または請求項２に記載の電子機器。
【発明の詳細な説明】
【０００１】
【発明の属する技術分野】
本発明は、他の電子機器側のケーブルが接続されるコネクタを有する電子機器に関するものである。
【０００２】
【従来技術】
従来、この種の電子機器は、図３に示すように、たとえばカーオーディオ装置１００の場合、後面パネル１２０にコネクタ１３０を備え、前面パネル１１０が車両側の取付部材４００の開口部４１０に嵌められ、取付部材４００の図示しない取付部分に固定されていた。一方、カーオーディオ装置１００には他の電子機器、たとえばＤＶＤ（Ｄｉｇｉｔａｌ　Ｖｅｒｓａｔｉｌｅ　Ｄｉｓｋ）装置２００などが電気的に接続されることが多々あり、このような場合、取付部材４００の下方側に設けた開口部４２０にＤＶＤ装置２００の前面パネル２１０が嵌められてＤＶＤ装置２００が取付部材４００に固定され、ＤＶＤ装置２００の後面パネル２２０に設けたコネクタ２３０とカーオーディオ装置１００の後面パネル１２０に設けたコネクタ１３０とをケーブル３００を介して電気的に接続していた。
【０００３】
【発明が解決しようとする課題】
しかし、このような従来の電子機器では、カーオーディオ装置１００側のコネクタ１３０が後面パネル１２０側設けられているために、予め取付部材４００に取り付けてあるカーオーディオ装置１００にＤＶＤ装置２００等をケーブルを介して接続する場合、取付部材４００にＤＶＤ装置６を取り付ける前に取付部材４００の下方の開口部４２０からケーブル３００の一端側部分を挿入してカーオーディオ装置１００の後面側のコネクタ１３０に接続せねばならず、この場合、開口部４２０からはコネクタ１３０が見えず、かつオーディオ装置１００の後面の奥まったところでケーブル３００を手前側に差し込まねばならないことから、この接続作業が難しく作業時間がかかるという問題があった。
本発明はこのような問題を解決するためになされたもので、電子機器のコネクタにケーブルを介して他の電子機器を接続する場合に、ケーブルの接続作業を電子機器の後面側や後面近傍から手を入れて実行することができないときでもケーブルの接続作業を容易にできるようにした電子機器を提供するものである。
【０００４】
【課題を解決するための手段】
本発明の電子機器は、前面パネルと後面パネルと前記前面パネルと前記後面との間に設けた奥方向延在パネルと、前記各パネルで囲まれた内部空間内に設けた電子部品と、前記奥方向延在パネルから突出しケーブルとを接続可能なコネクタとを備えた構成を有している。この構成により、コネクタの位置を視認できケーブルを横方向または上下方向に差し込めばよいので、コネクタへのケーブルの接続作業を電子機器の後面側や後面近傍から手を入れて実行できないときでも、コネクタへのケーブルの接続作業が容易にでき、作業時間も短縮できることとなる。
【０００５】
また、本発明の電子機器は、前面パネルと後面パネルと前記前面パネルと前記後面との間に設けた奥方向延在パネルと、前記各パネルで囲まれた内部空間内に設けた電子部品と、前記奥方向延在パネルから突出しケーブルとを接続可能なコネクタとを備えるとともに、前記奥方向延在パネルが、上面パネル、下面パネル、および両側の側面パネルを有し、前記奥方向延在パネルのうち、１つのパネルに前記コネクタが設けられている構成を有している。この構成により、他の電子機器のケーブルをコネクタに接続するとき、コネクタが他の電子機器に近い方の奥方向延在パネルに位置するようになるので、接続作業が容易になるとともにケーブルの長さを短く抑えることが可能となる。
【０００６】
また、本発明の電子機器は、前面パネルと後面パネルと前記前面パネルと前記後面との間に設けた奥方向延在パネルと、前記各パネルで囲まれた内部空間内に設けた電子部品と、前記奥方向延在パネルから突出しケーブルとを接続可能なコネクタとを備えるとともに、車両搭載用の電子機器である構成を有している。この構成により、車両搭載の電子機器のコネクタに取付部材の狭い開口部から他の電子機器のケーブルを挿入して接続する場合にも適用でき、コネクタへのケーブル接続作業が容易となり、その作業時間も短縮できることとなる。
【０００７】
【発明の実施の形態】
以下、本発明の実施の形態について、図面を用いて説明する。
図１は、本発明の第１の実施の形態の電子機器を斜め後方からみた斜視図である。同図に示すように、本発明の第１の実施の形態の電子機器としてのカーオーディオ装置１０は、操作ボタンや液晶の表示部等を備えた前面パネル１１と、前面パネル１１の後方に位置する後面パネル１２と、前面パネル１１および後面パネル１２との間を上下左右でそれぞれ連結する奥方向延在パネル１８としての上面パネル１３、下面パネル１４、および両側の側面パネル１５、１６とからなる直方体形状の筐体を有する。
【０００８】
この筐体の内部空間には、基板に設けたカーオーディオ装置１０用の種々の電子部品５０が内蔵されており、これらの電子部品５０のうちの一つである電源ユニット５１が後面パネル１２に近い側に設置してある。
また、下面パネル１４の下方で、かつ後面パネル１２側にある電源ユニット１８の下方となる位置に、下面パネル１４から垂直下方に向けてコネクタ１７を突出させてある。コネクタ１７のケーブル３０との接続面は、コネクタ１７の先端部、すなわち、コネクタ１７の一番下面にある。
【０００９】
このオーディオ装置１０は、車両側の取付部材４０の上方側に設けた開口部４１へ挿入されて前面パネル１１の表面が取付部材４０の表面と連なる位置で両側の側面パネル１５、１６のそれぞれ側面側に位置した取付部材４０の図示しない取付部分に固定されている。
【００１０】
一方、他の電子機器であるＤＶＤ装置２０は、前面パネル２１にＤＶＤの挿入口や操作ボタン等を有し、内部のＤＶＤ駆動装置をコントロールすることができるように構成してある。ＤＶＤ装置２０の後面パネル２２には、水平方向に突出させたコネクタ２７が設けてある。ＤＶＤ装置２０は、車両側の取付部材４０に設けた下方側の開口部４２から挿入されて、前面パネル２１の表面が取付部材４０の外面と連なる位置で、ＤＶＤ装置２０の左右の側面側に位置する取付部材４０の図示しない取付部分に固定する。ＤＶＤ装置２０の後面パネル２２には、コネクタ２７が設けられており、このコネクタ２７とオーディオ装置１０の下面パネル１４のコネクタ１７との間は、ケーブル３０で電気的に接続される。
【００１１】
次に、両コネクタ１７、２７間のケーブル３０の接続作業につき、説明する。まず、オーディオ装置１０はあらかじめこの後面パネル１２側から車両側の取付部材４０の上方側の開口部４１へ挿入され、前面パネル１１の表面と取付部材４０の外面とが同じ面上となる位置で取付部材４０の図示しない取付部分に固定されている。このようにあらかじめオーディオ装置１０が取付部材４０に取り付けられている場合に、新たにＤＶＤ装置２０を追加するには、以下の作業を行う。
【００１２】
すなわち、ＤＶＤ装置２０を取付部材４０の下方の開口部４２に取り付ける前に、開口部４２からオーディオ装置１０のコネクタ１７を確認し、次いでケーブル３０の一端側から挿入して行き、コネクタ１７の位置まで来たらコネクタ１７の接続面にこの下方から上方に向けて押し込み、コネクタ１７にケーブル３０の一端側部分を接続する。なお、この接続作業にあっては、コネクタ１７の位置を目視でなく手で触って確認することもできる。
【００１３】
続いて、ケーブル３０の他端側部分をＤＶＤ装置２０の後面パネル２２のコネクタ２７に接続し、取付部材４０の下方側の開口部４２へＤＶＤ装置２０をこの後面パネル２２側から挿入していく。ＤＶＤ装置２０は、この前面パネル２１の表面と取付部材４０の外面とが同じ面となる位置で取付部材４０の図示しない取付部分に固定する。
【００１４】
以上のように、本発明の第１の実施の形態の電子機器であるオーディオ装置１０は、オーディオ装置１０のコネクタ１７を下面パネル１４から下方に向けて突出させているので、オーディオ装置１０のコネクタ１７に他の電子機器であるＤＶＤ装置２０側のケーブル３０を接続する場合には、開口部４２から挿入したケーブル３０の一端側部分をコネクタ１７の位置で下方から上方に向けて押し込むだけで接続することができるので、接続作業が容易となってその作業時間が短縮されることとなる。また、接続前にはオーディオ装置１０のコネクタ１７の位置を目視で確認することもでき、さらにコネクタ１７にケーブル３０が確実に接続されているか否かを目視で確認することが可能となる。
【００１５】
また、オーディオ装置１０のコネクタ１７をＤＶＤ装置２０が配置される側の下面パネル１４上に設けたので、ＤＶＤ装置２０のコネクタ２７に近く、ケーブル３０の接続作業が容易になるととともに、ケーブル３０の長さも短く抑えることができる。またオーディオ装置１０の電源ユニット５１を、車両側の電源に接続しやすく前面側に配置されるＣＤ（Ｃｏｍｐａｃｔ　Ｄｉｓｋ）装置等の邪魔にならないように後面パネル１２側に配置し、コネクタ１７も下面パネル１４の後面パネル１２側に配置したので、オーディオ装置１０の電源ユニット５１からからケーブル３０を介してＤＶＤ装置２０へ電力供給する場合に、電源ユニット５１とコネクタ１７との間の電線の長さを短く抑えることが可能となる。
【００１６】
図２は本発明の第２の実施の形態の側面図を示す。なお、この実施の形態で第１の実施の形態と実質的に同一の部分については、同一の符号を付し、その説明を省略する。これは上記第１の実施の形態とは、オーディオ装置１０をＤＶＤ装置２０より奥方向に長くして、コネクタ１７がＤＶＤ装置２０の後面より奥側に位置するようにし、オーディオ装置１０とＤＶＤ装置２０との上下方向の間隔を詰め、コネクタ１７とＤＶＤ装置２０とが上下方向に一部オーバラップするようにした点が相違している。この構成によれば、コネクタ１７とＤＶＤ装置２０とのオーバラップ分、オーディオ装置１０とＤＶＤ装置２０との間隔を詰めることが可能となり、全体をコンパクトにできるという効果も得られる。
【００１７】
なお、上記実施の形態ではコネクタ１７を下面パネル１４に設けた場合について説明したが、本発明は、下面パネル１４のほかに、奥方向延在パネル１８を構成する上面パネル１３、左側の側面パネル１５、あるいは右側の側面パネル１６のいずれかのパネルにコネクタ１７を設けても上記実施の形態と同様の効果が得られるものである。
また、コネクタ１７は、上記各パネルに垂直方向に設ける代わりに傾斜させて設けるようにしてもよい。このようにすることにより、レイアウト上の自由度を確保でき、また取付場所に応じた接続作業を行うことができるようになる。
【００１８】
【発明の効果】
以上説明したように、本発明は電子機器の奥方向延在パネルにコネクタを設けて他の電子機器のケーブルを接続するようにしたことにより、ケーブルの接続作業を電子機器の後面側や後面近傍から手を入れて実行できないときでもケーブルの接続作業を容易にでき、その作業時間を短縮できるというすぐれた効果を有する電子機器を提供することができるものである。
【図面の簡単な説明】
【図１】本発明の第１の実施の形態のオーディオ装置とＤＶＤ装置とを斜め後方からみた斜視図
【図２】本発明の第１の実施の形態のオーディオ装置とＤＶＤ装置との側面図
【図３】従来のオーディオ装置とＤＶＤ装置とを斜め後方からみた斜視図
【符号の説明】
１０　オーディオ装置
１１　前面パネル
１２　後面パネル
１３　上面パネル
１４　下面パネル
１５、１６　側面パネル
１７　コネクタ
１８　奥方向延在パネル
２０　ＤＶＤ装置
２２　後面パネル
２７　コネクタ
３０　ケーブル
４０　取付部材
４１、４２　開口部
【図１】
2004031659.tif 000003
【図２】
2004031659.tif 000004
【図３】
2004031659.tif 000005